(57)【要約】【課題】吸い殻の回収作業を簡単にかつ周囲に悪影響を及ぼすことがない構成の灰皿を備えた遊技機を提供する。【解決手段】遊技機の前面操作面下部に受け皿アッセンブリー２Ｍを備え、該受け皿アッセンブリー２Ｍの片側に回動可能に支持された灰皿３を備えた遊技機において、上記灰皿３は、一方を開口されて吸い殻回収開口３Ａを有する箱形状とされ、側面に回動支点となる支持ピン４が設けられ、上記灰皿３を収容する上記受け皿アッセンブリー２Ｍには、上記支持ピン４を嵌合させて水平方向および垂直方向にガイド可能なガイド部２Ｍ３が設けられ、上記ガイド部２Ｍ３に嵌合する支持ピン４は、上記吸い殻回収開口３Ａが上向き状態のときに上記ガイド部２Ｍ３の垂直方向移動の後、水平方向位置で上記灰皿の揺動端を上記受け皿アッセンブリー２Ｍの収容位置２Ｍ２内に向けて回動させて上記吸い殻回収開口３Ａを反転させることができる位置を回動支点に設定され、吸い殻回収開口を下向きに反転させた際に吸い殻Ｓが回収部１００に自動的に落下する構成とされていることを特徴とする。【選択図】    図６
2004290464.tif 000002
【特許請求の範囲】
【請求項１】
遊技機の前面操作面下部に受け皿アッセンブリーを備え、該受け皿アッセンブリーの片側に回動可能に支持された灰皿を備えた遊技機において、
上記灰皿は、一方を開口されて吸い殻回収開口を有する箱形状とされ、側面に回動支点となる支持ピンが設けられ、
上記灰皿を収容する上記受け皿アッセンブリーには、上記支持ピンを嵌合させて水平方向および垂直方向にガイド可能なガイド部が設けられ、
上記ガイド部に嵌合する支持ピンは、上記吸い殻回収開口が上向き状態のときに上記ガイド部の垂直方向移動の後、水平方向位置で上記灰皿の揺動端を上記受け皿アッセンブリーの収容位置内に向けて回動させて上記吸い殻回収開口を反転させることができる位置を回動支点に設定されていることを特徴とする遊技機。
【請求項２】
請求項１記載の遊技機において、
上記吸い殻回収開口が下向き状態の時に灰皿の底部表面は、上記受け皿アッセンブリーの上面に連続する面を構成して缶の載置部として用いられることを特徴とする遊技機。
【請求項３】
請求項１または２記載の遊技機において、
上記灰皿における底部表面またはこれに隣接する受け皿アッセンブリー上面に缶の載置部として凹部で構成された缶受け部が設けられていることを特徴とする遊技機。
【請求項４】
請求項１乃至３のうちの一つに記載の遊技機において、
上記灰皿とこれの収容部を有する受け皿アッセンブリーには、灰皿の回動を規制する構成が設けられていることを特徴とする遊技機。
【請求項５】
請求項１乃至４のうちの一つに記載の遊技機において、
上記受け皿アッセンブリーの近傍で、下向き状態にある上記吸い殻回収開口と対向する位置には吸い殻の回収部が設けられていることを特徴とする遊技機。
【請求項６】
請求項１乃至５のうちの一つに記載の遊技機において、
上記灰皿は、上記受け皿アッセンブリーにおける収容位置に対して装填されて上記ガイド部に上記支持ピンを位置決めされた後、装填方向前方側と該ガイド部との間に上記支持ピンが装填方向に沿って脱落するのを防止する脱落防止部材が固定されることを特徴とする遊技機。
【発明の詳細な説明】
【０００１】
【発明の属する技術分野】
本発明は、パチンコ遊技機、スロットマシンあるいは雀球機さらにはパチスロマシンやゲームセンタで用いられるゲーム機などの箱形遊技機に関し、さらに詳しくは灰皿の構造に関する。
【０００２】
【従来の技術】
遊技機、特に箱型遊技機に相当するパチンコ台やスロットマシンにおいては、遊技者の喫煙用としての灰皿が設けられている場合がある。
喫煙用灰皿は吸い殻を収容可能な窪みを有する灰皿本体で構成され、この灰皿本体が遊技機の正面に位置する盤面の下部片側に設けられている凹状の支持部内に装填され、かつ回転できる支持構造を用いて設けられている（例えば、特許文献１）。
近年、禁煙者が増加してきており、遊技場においても喫煙席と禁煙席とを準備する場合があり、禁煙席に用いられる遊技機には灰皿を設けないで本来、灰皿を取り付ける位置を盲板などで覆ったりする処置が採られていた。しかし、遊技機は遊技場の形態に応じて灰皿の有無を仕分けすることが部品管理や部品コストにおいて不利となるので、一つの灰皿を禁煙用と喫煙用とに区別できる構成を用いることもある（例えば、特許文献２）。
【特許文献１】
特開平１０−１４６４３０号公報、段落「００１９」〜「００２０」欄、図４〜６）
【特許文献２】
特開平９−２０６４５１号公報（段落「００１３」欄、図２）
【０００３】
【発明が解決しようとする課題】
灰皿による吸い殻収容量はさほど多くなく、溜まった吸い殻は遊技場の従業員によって回収されることが多い。しかし、吸い殻を回収する際には、従業員が遊技者と遊技機との間の狭いスペース内で灰皿を回動操作しなければならず、遊技者は、邪魔にならないように遊技時とは態勢を変えることを強いられたり、遊技を中断しなければならなくなる。また、回収する側の従業員は、窮屈な姿勢を強いられることになり回収作業性がきわめて悪いのが現状である。このような現況に対して、特許文献１，２においては何ら対策が講じられていない。つまり、各特許文献の構成は、いずれも上述した狭いスペース内での作業を必要とする構成に相当している。そこで、遊技機の近傍に灰皿等を設けておき、遊技機側の灰皿を使用できないように盲板により塞ぐこともある。しかし、このような処置を採用すると、喫煙者の手から離れた位置に灰皿があると、隣の遊技者に吸い殻が触れたりあるいは煙を近づけることになり、環境上あるいは健康上好ましくない。しかも、遊技機の型式によって灰皿の盲板が異なることが原因して盲板の種類が多くなり、加工コストや部品管理において不利が生じる。
【０００４】
本発明の目的は、上記従来の遊技機、特に遊技機側において回転可能に設けられている灰皿における問題に鑑み、吸い殻の回収作業を簡単にかつ周囲に悪影響を及ぼすことがない構成の灰皿を備えた遊技機を提供することにある。
【０００５】
請求項１記載の発明は、遊技機の前面操作面下部に受け皿アッセンブリーを備え、該受け皿アッセンブリーの片側に回動可能に支持された灰皿を備えた遊技機において、上記灰皿は、一方を開口されて吸い殻回収開口を有する箱形状とされ、側面に回動支点となる支持ピンが設けられ、上記灰皿を収容する上記受け皿アッセンブリーには、上記支持ピンを嵌合させて水平方向および垂直方向にガイド可能なガイド部が設けられ、上記ガイド部に嵌合する支持ピンは、上記吸い殻回収開口が上向き状態のときに上記ガイド部の垂直方向移動の後、水平方向位置で上記灰皿の揺動端を上記受け皿アッセンブリーの収容位置内に向けて回動させて上記吸い殻回収開口を反転させることができる位置を回動支点に設定されていることを特徴としている。
【０００６】
請求項１記載の発明では、灰皿に設けられている回動支点となる支持ピンの位置を、吸い殻回収開口が上向きから下向きに反転する際に灰皿が受け皿アッセンブリの収容位置内に向けて回動することができる位置としているので、灰皿が収容位置内で反転した際に受け皿アッセンブリー内で吸い殻を回収することができる。
【０００７】
請求項２記載の発明は、請求項１記載の発明に加えて、上記吸い殻回収開口が下向き状態の時に灰皿の底部表面は、上記受け皿アッセンブリーの上面に連続する面を構成して缶の載置部として用いられることを特徴としている。
【０００８】
請求項２記載の発明では、吸い殻回収開口の反対側の底部表面が缶の載置部として使用できるので、灰皿の回動構造を利用して灰皿本来の機能と缶の載置機構という異なる機能を単一部材によって発揮させることができる。
【０００９】
請求項３記載の発明は、請求項１または２記載の発明に加えて、上記灰皿における底部表面またはこれに隣接する受け皿アッセンブリー上面に缶の載置部として凹部で構成された缶受け部が設けられていることを特徴としている。
【００１０】
請求項３記載の発明では、缶の載置が可能な缶受け部が凹部で構成されているので、缶の倒れを防止した状態を維持することができる。
【００１１】
請求項４記載の発明は、請求項１乃至３のうちの一つに記載の発明に加えて、上記灰皿とこれの収容部を有する受け皿アッセンブリーには、灰皿の回動を規制する構成が設けられていることを特徴としている。
【００１２】
請求項４記載の発明では、灰皿の回動を規制する構成があるので、吸い殻を回収する態位にある灰皿が不用意に回動して吸い殻をこぼすようなことがなくされる。
【００１３】
請求項５記載の発明は、請求項１乃至４のうちの一つに記載の発明に加えて、上記受け皿アッセンブリーの近傍で、下向き状態にある上記吸い殻回収開口と対向する位置には吸い殻の回収部が設けられていることを特徴としている。
【００１４】
請求項５記載の発明では、灰皿の収容部を有する受け皿アッセンブリーの近傍に灰皿の吸い殻回収開口と対向する回収部が設けられているので、反転した際に落下する吸い殻をそのまま回収して周辺部に零れたりあるいは飛散させるようなことをなくすことができる。
【００１５】
請求項６記載の発明は、請求項１乃至５のうちの一つに記載の発明に加えて、上記灰皿は、上記受け皿アッセンブリーにおける収容位置に対して装填されて上記ガイド部に上記支持ピンを位置決めされた後、装填方向前方側と該ガイド部との間に上記支持ピンが装填方向に沿って脱落するのを防止する脱落防止部材が固定されることを特徴としている。
【００１６】
請求項６記載の発明では、受け皿アッセンブリーにおける灰皿収容位置に灰皿を装填する際には、支持ピンがガイド部に入り込むための隙間が存在するが、灰皿が装填された後にその隙間分が脱落防止部材によって塞がれるので、灰皿が装填方向前方に引き出すことができない状態とされて脱落を防止できる、これにより、装填方向前方に引き出す操作で灰皿が持ち去られてしまうのを防止することができる。
【００１７】
【発明の実施の形態】
以下、図面により本発明の実施の形態を説明する。なお、本実施形態では、メダルの払い出しを行う構成を備えたスロットルマシンを対象として説明するが、本発明が対象とする遊技機は、これに限らず、他の箱型遊技機、または、パチンコ遊技機に使用してもよい。
図１は、遊技島台としてのスロットルマシン台１が示されており、スロットルマシン台１は、複数のスロットルマシン２を１ブロック単位として複数ブロックを連続させて遊技島台として構成されている。
スロットルマシン台１は、上部に島ランプ１Ａおよびメダル箱置き場１Ｂを備えて天板１Ｃが配置され、天板１Ｃの下方には１台のスロットルマシン毎にその側方に配置されたメダル貸し機１Ｄを組み合わせて配置されて構成されている。メダル貸し機１Ｄは、周知の現金投入口１Ｄ１，貸しメタル払い出し口１Ｄ２を備えた構成が用いられる。
【００１８】
スロットルマシン２は、正面操作面を示す図２において、上段側にフィーバレンズ２Ａが、そして上段中央に演出用パネル２Ｂが、さらに演出用パネル２Ｂの両側にスピーカ２Ｃがそれぞれ設けられ、中段にリールを露出させる中パネル２Ｄ、ベットボタン２Ｅ、メダル投入口２Ｆ、スタートレバー２Ｇ、ストップボタン２Ｈがそれぞれ配置され、下段には下パネル２Ｊさらにはその下方にメダル払い出し口２Ｋ、スピーカ２Ｌおよび受け皿アッセンブリー２Ｍが配置されている。
【００１９】
図３は、受け皿アッセンブリー２Ｍの構成を示す図であり、同図において受け皿アッセンブリー２Ｍは、スロットルマシン２の筐体に一体的に組み立てられる樹脂製あるいは金属製の成形体で構成された受け部本体２Ｍ１を備えており、受け部本体２Ｍ１における片側には、灰皿３の収容部２Ｍ２が設けられている。
収容部２Ｍ２は、遊技者が対面する側を開放した平面視凹状部とされており、対向壁面２Ｍ２Ａ間の間隔が灰皿３の側面間の間隔よりも僅かに広い間隔とされて灰皿３の回動を許容している。
【００２０】
図３において収容部２Ｍ２における対向壁面２Ｍ２Ａには、逆向きのＬ字状をなす溝で構成されたガイド部２Ｍ３が設けられている。
ガイド部２Ｍ３は、収容部２Ｍ２の奥側が垂直方向に延長され、その上端位置から水平方向に延長された形状であり、水平部分の長さは、後述する支持ピン４が水平部分から垂直部分入り込むように変位した際に灰皿３を収容部２Ｍ２内に格納できる支持ピン４の移動ストロークが得られる長さに設定されている。また、垂直部分の長さは、収容部２Ｍ２に収容されている灰皿３を上方に浮き上がらせて回動を許容できる長さに設定されている。
【００２１】
図４は、灰皿３の構成を説明するための図であり、同図において灰皿３は、一方の面が吸い殻回収開口３Ａとされた箱形状部材であり、吸い殻回収開口３Ａと反対側の底部表面には、図４（Ｂ）に示すように、ジュースや飲料水の缶底部の周縁軌跡に一部が含まれる凹部で構成された缶受け部３Ｂが形成され、さらに、収容部２Ｍ２の対向壁面２Ｍ２Ａに対向する側面には、支持ピン４が取り付けられている。
【００２２】
支持ピン４の設置位置は、図５に示すように、吸い殻回収開口３Ａが上向きの時に収容部２Ｍ２側のガイド部２Ｍ３における垂直方向延長部分の下端位置とされ、この位置から上方に向け移動させ、図６に示すように、水平方向延長部分の末端部に移動した状態（便宜上、符号３’で示す位置にある状態）で灰皿３を収容部２Ｍ２側に向けて時計方向に回動することができる位置とされている。つまり、ガイド部２Ｍ３の水平方向延長部分の末端に位置した支持ピン４の位置を支点として収容部２Ｍ２内に向けて回動する灰皿３は、揺動端が収容部２Ｍ２の奥側に回動軌跡を有することになり、ほぼ収容部２Ｍ２内に納められた状態で吸い殻回収開口３Ａを下向き状態とすることができる。
【００２３】
受け皿アッセンブリー２Ｍにおける収容部２Ｍ２の近傍、図５では、収容部２Ｍ２の下方には、スロットマシン台１の棚板６に吸い殻投入口を有する回収部１００が設けられている。
このため、図６において、支持ピン４がガイド部２Ｍ３の水平方向末端部に位置している状態で灰皿３が時計方向に回動されると、吸い殻回収開口３Ａが回収部１００の吸い殻投入口と対面し、灰皿３内の吸い殻がそのまま落下して回収部１００に至るようになっている。また、収容部２Ｍ２における奥側の壁面は、灰皿３の回動を許容するために灰皿の回動時に干渉することがないように支持ピン４を中心とした円弧状の面に形成されている。
【００２４】
灰皿３における缶受け部３Ｂは、凹部を構成することで缶の周縁が水平方向に動くのを規制することができ、さらに加えて、缶受け部３Ｂには、缶の横ずれを防止するための構成として、図５に示すように磁石７あるいは図示しないが、高い摩擦係数を有するマット部材が貼り付けされている。これにより、缶受け部３Ｂに載置された缶は、横ずれが防止されることにより不用意に倒れるのを防止された状態を維持できるようになっている。缶受け部３Ｂは、灰皿３の底部表面のみで載置可能な缶のサイズに合わせた円を描ける場合には、底部表面のみに設けられ、また、サイズが灰皿３の底部の大きさ以上である場合には、図３において符号Ｒで示すように、灰皿３の底部表面に隣接する受け皿アッセンブリー２Ｍの上面に灰皿３の底部表面側に形成された缶の周縁軌跡の一部を連続させた凹部を構成することにより缶を灰皿３の底部表面と受け皿アッセンブリー２Ｍの上面とに亘って載置させる。
【００２５】
支持ピン４を支点として反転可能な方向に回動する灰皿３を収容する収容部２Ｍ２には、図５および図７に示すように、灰皿３における吸い殻回収開口３Ａを有する面および底部表面のそれぞれの一部に設けられている頭部付の係止ピン８に対して係脱可能な係止レバー９が揺動可能に設けられている。
係止レバー９は、収容部２Ｍ２の底面に対してヒンジ結合されており、揺動端に形成されているフォーク状係合部が係止ピン８に係脱できるようになっており、係合時には灰皿３が不用意に回動するの阻止するようになっている。
【００２６】
収容部２Ｍ２には、上述した係止レバー９に加えて、灰皿３の回動を阻止するための構成として、図３および図５に示すように、灰皿３の回動時に干渉しない位置で灰皿３の底部を支持可能な突出片で構成された係止片１０が設けられている。
【００２７】
本実施形態は以上のような構成であるから、灰皿３を本来の灰皿として用いる場合には、図５に示すように、吸い殻回収開口３Ａが上向きの状態に位置決めする。この向きに設定されている灰皿３は、係止レバー９が係止ピン８に係合されることにより、そして底部が係止片１０に衝止されることにより不用意な回動を阻止されている。
【００２８】
灰皿３内に溜まった吸い殻を廃棄する場合および灰皿３を使用しない場合には、灰皿３が吸い殻回収開口３Ａを上向き状態から下向き状態へと反転するように回動される。この場合には、図６に示すように、灰皿３として機能していた位置からガイド部２Ｍ３の垂直部分を支持ピン４が移動させられて水平部分末端に定置され、時計方向に回動させられる。
灰皿３が支持ピン４をガイド部２Ｍ３の水平部分末端に位置させて時計方向に回動すると、図７に示すように、溜まっていた吸い殻Ｓは落下して回収部１００に至り、また、係止片１０により吸い殻回収開口３Ａを有する面が衝止されることで底部表面の缶受け部３Ｂが上向き状態とされる。この状態において係止ピン８が係止レバー９と係合することにより、不用意に回動するのが防止される。
【００２９】
上向きの缶受け部３Ｂに載置される缶は、例えば鉄製の缶であれば磁石により磁気吸着されると共にその底部周縁が缶受け部３Ｂの凹部周縁に突き当たることで不用意な倒れを防止され、磁性材料でない缶の場合には、高摩擦係数部材と缶底部との間の摩擦抵抗により横ずれを防止されるので、不用意な倒れが防止されることになる。
【００３０】
本実施形態における灰皿３の組み付けは、次の通りである。
収容部２Ｍ２において、灰皿３の装填方向前方側、つまり、収容部２Ｍ２の奥側と反対側に相当する手前側での対向壁面２Ｍ２Ａ間の間隔（図８（Ａ）において符号Ｌ２で示す間隔）が灰皿３に有する支持ピン４をガイド部２Ｍ３内に入り込ませることができる間隔とされており、ガイド部２Ｍ３における灰皿３の装填方向前方部分の一部を含めた部分以外での対向壁面の対向間隔（図８（Ａ）において符号Ｌ１で示す間隔）よりも広くされている。このため、図８（Ｂ）に示すように、収容部２Ｍ２における灰皿挿入側の壁面には、上述した対向間隔の差を埋めて灰皿３の脱落を防止する部材としての埋設部材１１が締結あるいは貼り付けなどによって灰皿３を収容部２Ｍ２に装填した後に設けられるようになっている。これにより、支持ピン４がガイド部２Ｍ３から抜け出ることがないので、灰皿３を引き出して持ち去ることができないようにされる。
【００３１】
本実施形態においては、灰皿３を本来の機能に用いる場合と缶の載置部として用いる場合とを遊技者自身あるいは、遊技場に遊技島台を構成した時点で選択できるようになっている。つまり、灰皿３の使用態様は、係止ピン８に対する係止レバー９の係脱状態を選択すればよく、係止レバー９を係止ピン８から外すことで灰皿３を回動させて使用態様に応じた吸い殻回収開口３Ａおよびこれと反対側の缶受け部３Ｂの向きを設定すればよいことになる。特に、係止レバー９の係脱状態の選択という操作を必要とすることから、遊技者自身あるいは設置時での意志に基づき使用態様の選択が可能となり、使用態様において灰皿から缶の載置部とする場合には、灰皿に残存していた吸い殻を自動的に落下させて回収できる状態とすることができる。なお、係止レバー９に代えてラッチ機構などを用いて係脱動作の選択が行える構成とすることも可能である。
【００３２】
【発明の効果】
請求項１記載の発明によれば、灰皿に設けられている回動支点となる支持ピンの位置を、吸い殻回収開口が上向きから下向きに反転する際に灰皿が受け皿アッセンブリの収容位置内に向けて回動することができる位置としているので、灰皿が収容位置内で反転した際に受け皿アッセンブリー内で吸い殻を回収することができる。これにより、遊技者自身の回動操作が可能となり、遊技者と遊技機との間のスペースの制約を受けることがない。この結果、遊技者および吸い殻回収に従事する従業員等の遊技場の管理者に無理な体勢を強いることがなくなるばかりでなく、遊技者自身で吸い殻の回収を簡単に行うことが可能となる。
【００３３】
請求項２記載の発明によれば、吸い殻回収開口の反対側の底部表面が缶の載置部として使用できるので、灰皿の回動構造を利用して灰皿本来の機能と缶の載置機構という異なる機能を単一部材によって発揮させることができる。
【００３４】
請求項３記載の発明によれば、缶の載置が可能な缶受け部が凹部で構成されているので、缶の倒れを防止した状態を維持することができる。
【００３５】
請求項４記載の発明によれば、灰皿の回動を規制する構成があるので、吸い殻を回収する態位にある灰皿が不用意に回動して吸い殻をこぼすようなことがなくされ、環境上および健康上の悪影響を低減することが可能となる。
【００３６】
請求項５記載の発明によれば、灰皿の収容部を有する受け皿アッセンブリーの近傍に灰皿の吸い殻回収開口と対向する回収部が設けられているので、反転した際に落下する吸い殻をそのまま回収して周辺部に零れたりあるいは飛散させるようなことをなくすことができる。
【００３７】
請求項６記載の発明によれば、受け皿アッセンブリーにおける灰皿収容位置に灰皿を装填する際には、支持ピンがガイド部に入り込むための隙間が存在するが、灰皿が装填された後にその隙間分が脱落防止部材によって塞がれるので、灰皿が装填方向前方に引き出すことができない状態とされて脱落を防止できる、これにより、装填方向前方に引き出す操作で灰皿が持ち去られてしまうのを防止することができる。
【図面の簡単な説明】
【図１】本発明の実施形態に係る遊技機の一つであるスロットマシン台で遊技島を構成した場合を説明する図である。
【図２】図１に示した遊技島に用いられるスロットマシンの正面図である。
【図３】図２に示したスロットマシンに装備されている受け皿アッセンブリーの構成を説明するための斜視図である。
【図４】図３に示した受け皿アッセンブリーに用いられる灰皿の構成を説明するための図であり、（Ａ）は吸い殻回収開口が上向きの状態を、（Ｂ）は底部表面をそれぞれ示している。
【図５】図４に示した灰皿の設置構成を説明するための図である。
【図６】図５に示した灰皿の一態様を示す図である。
【図７】図６に示した灰皿の態様の変化過程を説明するための図である。
【図８】図６に示した灰皿の構成を示す図であり、（Ａ）は平面図、（Ｂ）は灰皿の収容位置の構成を示している。
【符号の説明】
１          遊技島
２          スロットマシン
２Ｍ        受け皿アッセンブリー
２Ｍ２      灰皿収容部
２Ｍ２Ａ    対向壁面
２Ｍ３      ガイド部
３          灰皿
３Ａ        吸い殻回収開口
３Ｂ        缶受け部
４          支持ピン
７          磁石
８          係止ピン
９          係止レバー
１０        係止片
１１        脱落防止用埋設部材
１００      回収部
Ｒ          凹部の一部
【図１】
2004290464.tif 000003
【図２】
2004290464.tif 000004
【図３】
2004290464.tif 000005
【図４】
2004290464.tif 000006
【図５】
2004290464.tif 000007
【図６】
2004290464.tif 000008
【図７】
2004290464.tif 000009
【図８】
2004290464.tif 000010